(57)【要約】【課題】着信時に筐体が開かれると携帯電話装置の設定状態をユーザに報知し、ユーザが迅速に着信応答することを可能にする携帯電話装置を提供する。【解決手段】制御部は、着信を検出したと判定すると（Ｓ１ステップ）、呼び出し音を鳴動させ（Ｓ２ステップ）、筐体が開いたことを検出すると（Ｓ４ステップ）、現在筐体を開いたら自動的に回線を接続するモードに設定されているか否か判定し（Ｓ４ステップ）、設定されていると判定しなければ、現在自動的に回線を接続するモードではないことを示す音声メッセージをスピーカから出力させる（Ｓ６ステップ）。【選択図】      図３
2004228634.tif 000002
【特許請求の範囲】
【請求項１】
筐体を開閉可能な折り畳み式の携帯電話装置において、
筐体が開いたか否かを検出する開閉検出手段と、携帯電話装置の各種機能の設定状態を示す音声メッセージを格納する格納手段と、スピーカと、前記開閉検出手段が筐体が開いたことを検出したと判定すると、筐体が開かれた際の各種機能の設定状態に対応する前記音声メッセージを前記スピーカから出力するように制御する制御手段と、を有することを特徴とする折り畳み式携帯電話装置。
【請求項２】
筐体を開閉可能な折り畳み式の携帯電話装置において、
着信を検出する着信検出手段と、筐体が開いたか否かを検出する開閉検出手段と、携帯電話装置の各種機能の設定状態を示すデータ及び前記設定状態を示す音声メッセージを格納する格納手段と、スピーカと、制御手段とを有し、
前記制御手段は、前記着信検出手段が着信を検出し、該着信検出中に前記開閉検出手段が筐体が開いたことを検出したと判定すると、前記格納手段に格納されている前記設定状態を示す音声メッセージを読み出し前記スピーカから出力するように制御することを特徴とする折り畳み式携帯電話装置。
【請求項３】
筐体を開閉可能な折り畳み式の携帯電話装置において、
筐体が開いたか否かを検出する開閉検出手段と、音声メッセージを格納する格納手段と、スピーカと、前記開閉検出手段が筐体が開いたことを検出したと判定すると、前記格納手段に格納された開閉に係る各種機能の設定状態を示す音声メッセージを前記スピーカから出力するように制御する制御手段と、を有することを特徴とする折り畳み式携帯電話装置。
【発明の詳細な説明】
【０００１】
【発明の属する技術分野】
本発明は、折り畳み式携帯電話装置に関するものである。
【０００２】
【従来の技術】
近年、通話機能やメール機能以外の多くの機能を搭載した携帯電話装置が製品化されており、例えば、ＣＣＤ（Ｃｈａｒｇｅ  Ｃｏｕｐｌｅｄ  Ｄｅｖｉｃｅ）を搭載したカメラ付き携帯電話装置が製品化されている。
【０００３】
又、携帯電話装置も様々な形状のものが製品化されており、表示部とキー操作部が同一の平面上に搭載された所謂ストレートタイプの携帯電話装置や、表示部を搭載した第１の筐体と、キー操作部を搭載した第２の筐体とを、ヒンジ部により回動可能に連結した所謂折り畳み式の携帯電話装置等が製品化されている。更に、このような折り畳み式の携帯電話装置に関する技術も数多く提案されている（例えば、文献１参照）。
【０００４】
更に、このような折り畳み式の携帯電話装置において、着信時に携帯電話装置を開くと自動的に回線を接続し通話を開始することが可能なものや、着信時に携帯電話装置を開くと自動的に回線を接続可能とするか或いは携帯電話装置を開いても自動的に回線を接続せず通話キーを押下することにより回線を接続可能とするかを、ユーザが設定可能な携帯電話装置が製品化されている。
【０００５】
【特許文献１】
特開平２００１−２９７１９８号公報（第２ページ右欄第４３行目〜第３ページ左欄第５頁）。
【０００６】
【発明が解決しようとする課題】
このように、ユーザが設定可能な携帯電話装置において、着信時に、ユーザが自動的に応答するよう設定されていると思い筐体を開いても、実際には携帯電話装置には筐体を開いても自動的に着信に応答しないように設定されている為、ユーザがマイクに向かって「もしもし」と話かけても実際には通話が開始されない。この為、ユーザは非常に不快に思うだけでなく、通話キーの押下操作を行ない、着信に応答するまで時間がかかってしまう。
【０００７】
このような理由から、ユーザが着信に応答するまでに、携帯電話装置がどのような設定状態であるかをユーザが知ることができることが好ましい。
【０００８】
【課題を解決するための手段】
請求項１記載の折り畳み式携帯電話装置は、筐体を開閉可能な折り畳み式の携帯電話装置において、筐体が開いたか否かを検出する開閉検出手段と、携帯電話装置の各種機能の設定状態を示す音声メッセージを格納する格納手段と、スピーカと、前記開閉検出手段が筐体が開いたことを検出したと判定すると、筐体が開かれた際の各種機能の設定状態に対応する前記音声メッセージを前記スピーカから出力するように制御する制御手段と、を有することを特徴とする。
【０００９】
請求項２記載の折り畳み式携帯電話装置は、筐体を開閉可能な折り畳み式の携帯電話装置において、着信を検出する着信検出手段と、筐体が開いたか否かを検出する開閉検出手段と、携帯電話装置の各種機能の設定状態を示すデータ及び前記設定状態を示す音声メッセージを格納する格納手段と、スピーカと、制御手段とを有し、前記制御手段は、前記着信検出手段が着信を検出し、該着信検出中に前記開閉検出手段が筐体が開いたことを検出したと判定すると、前記格納手段に格納されている前記設定状態を示す音声メッセージを読み出し前記スピーカから出力するように制御することを特徴とする。
【００１０】
請求項３記載の折り畳み式携帯電話装置は、筐体を開閉可能な折り畳み式の携帯電話装置において、筐体が開いたか否かを検出する開閉検出手段と、音声メッセージを格納する格納手段と、スピーカと、前記開閉検出手段が筐体が開いたことを検出したと判定すると、前記格納手段に格納された開閉に係る各種機能の設定状態を示す音声メッセージを前記スピーカから出力するように制御する制御手段と、を有することを特徴とする。
【００１１】
【発明の実施の形態】
以下、本発明を適用してなる実施例装置について説明する。
【００１２】
本発明を適用してなる実施例装置は、筐体を開いた際に携帯電話装置の設定状態を音声で報知するものである。
【００１３】
図１は、本発明を適用してなる実施例装置である携帯電話装置の斜視図である。
【００１４】
本実施例装置では、図１に示す如く表示部１５とアンテナ２を搭載した第１の筐体１００と、テンキーや電源キーや通話キー等からなる入力部１６を搭載した第２の筐体２００とをヒンジ部３００を介して接続した構成となっている。又、図１は携帯電話装置を開いた状態での斜視図を示しており、第１の筐体１００を図１中矢印Ａ方向に動かすか、第２の筐体２００を矢印Ｂ方向に動かすことにより携帯電話装置を閉じることが可能である。更に、前記第２の筐体２００には凹形状の開閉検出部１７が形成されており、筐体が閉じられた際に前記第１の筐体１００に形成されている突起１０１が前記第２の筐体２００の開閉検出部１７に押し込まれることにより、前記開閉検出部１７が、筐体が閉じられたことを検出する。
【００１５】
図２は、本実施例装置のブロック図を示している。
【００１６】
図２において、通信部１は、後述するベースバンド部３からの信号をアンテナ２を介して基地局へ発信したり、アンテナ２を介して基地局からの電波を受信したりする。
【００１７】
ベースバンド部３は、ＣＤＭＡ（Ｃｏｄｅ  Ｄｉｖｉｓｉｏｎ  Ｍｕｉｔｉｐｌｅ  Ａｃｃｅｓｓ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００１８】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音や音声メッセージ等を出力する。
【００１９】
切替回路１０は、３つのアンプ５、７、９とベースバンド部３との接続を後述する制御回路１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１１の制御によりベースバンド部３の音声コーデック３２が行う。
【００２０】
マイクロプロセッサからなる制御回路１１は、例えばＲＯＭ（Ｒｅａｄ  Ｏｎｌｙ  Ｍｅｍｏｒｙ）からなる第１格納部１２に格納されたシステムプログラムに基づいて、各部を制御する。又、制御回路１１は、時刻を計時する機能も備えている。
【００２１】
第２格納部１３は、例えばＳＲＡＭ（Ｓｔａｔｉｃ  Ｒａｎｄｕｍ  Ａｃｃｅｓｓ  Ｍｅｍｏｒｙ）からなり、着信時に携帯電話装置の筐体を開くと自動的に回線を接続するモード（以下、オープン応答モードと称す）か、着信時に携帯電話装置の筐体を開いても自動的に回線を接続せず、通話ボタンを押下しなければ通話が開始されないモード（以下、通常応答モードと称す）を示すデータと、現在前記通常応答モードであることを示す音声メッセージ（例えば、「通常応答モードです」）を格納する。
【００２２】
第３格納部１４は、例えばＳＲＡＭ（Ｓｔａｔｉｃ  Ｒａｎｄｕｍ  Ａｃｃｅｓｓ  Ｍｅｍｏｒｙ）からなり、相手側の氏名と、該氏名に対応する電話番号とメールアドレスと相手側の血液型や誕生日等の個人情報を複数格納可能である。
【００２３】
表示部１５は、電話番号や相手先の氏名等を表示する。
【００２４】
入力部１６は、通話キー、切キー、テンキー、電源キー、機能キー、メール開始キー等の各種キーからなる。
【００２５】
開閉スイッチ１７は、携帯電話装置の筐体が開かれたか否かを検出する為のスイッチである。
【００２６】
次に本実施例装置の動作について説明する。
【００２７】
図３は、本実施例装置の動作を示すフロー図である。
【００２８】
先ず、携帯電話装置の筐体が閉じた状態であるとする。
【００２９】
図３のＳ１ステップにおいて、制御回路１１は、ベースバンド部３から着信があることを示す信号を検出するとＳ２ステップへ処理を進める。
【００３０】
Ｓ２ステップでは、制御回路１１は、スピーカ８から着信音を出力させ、Ｓ３ステップへ処理を進める。
【００３１】
Ｓ３ステップでは、制御回路１１は、開閉スイッチ１７から携帯電話装置の筐体が開かれたことを示す信号を検出するとＳ４ステップへ処理を進め、そうでなければＳ１ステップへ処理を戻す。
【００３２】
Ｓ４ステップでは、制御回路１１は、第２格納部１３にオープン応答モードであることを示す情報が格納されていると判定すると、Ｓ５ステップへ処理を進め、通常応答モードであることを示す情報が格納されていると判定するとＳ６ステップへ処理を進める。
【００３３】
Ｓ５ステップでは、制御回路１１は、ベースバンド部３を制御することにより回線を接続させ、通話が開始される。通話が終了し回線を切断すると、制御回路１１は、Ｓ１ステップへ処理を戻す。
【００３４】
Ｓ６ステップでは、制御回路１１は、第２格納部１３に格納されている、現在前記通常応答モードであることを示す音声メッセージ（例えば、「通常応答モードです」）を読み込み、スピーカ８から出力させる。
【００３５】
続くＳ７ステップでは、制御回路１１は、入力部１６から通話キーが押下されたことを示す信号を検出するとＳ５ステップへ処理を進め、そうでなければＳ８ステップへ処理を進める。
【００３６】
Ｓ８ステップでは、制御回路１１は、ベースバンド部３から着信があることを示す信号を検出すると、Ｓ９ステップへ処理を進め、そうでなければＳ１ステップへ処理を戻す。
【００３７】
Ｓ９ステップでは、制御回路１１は、スピーカ８から着信音を出力させる。
【００３８】
以上説明したように、本実施例では、ユーザは筐体を開いた時に現在の携帯電話装置の設定状態を音声メッセージで聞くことができる為、例えば、着信時に、ユーザが自動的に応答するよう設定されている（オープン応答モードである）と思い筐体を開いても、実際には携帯電話装置には筐体を開いても自動的に着信に応答しないように設定されている（通常応答モード）為、ユーザがマイクに向かって「もしもし」と話かけても実際には通話が開始されずユーザが非常に不快に思う、という事態を回避することができる。又、ユーザは、筐体を開いた際に音声メッセージにより通常応答モードであると認識することが可能である為、即座に通話を開始する為の通話キーの押下操作へと移り、迅速に着信に応答することができる。
【００３９】
尚、本実施例では、ユーザが筐体を開いた際に通常応答モードであることを音声メッセージで出力する構成としたが、筐体に係る設定状態を音声メッセージで報知する構成であれば、他の音声メッセージを出力しても良い。
【００４０】
又、携帯電話装置の設定状態（例えば、通常応答モード、キーロック状態等）を示す複数のデータと、前記各々の設定状態に対応する複数の音声メッセージを格納し、筐体が開かれた際には、開かれた時の携帯電話装置の設定状態に対応する音声メッセージを出力する構成としても良い。
【００４１】
【発明の効果】
本発明の折り畳み式携帯電話装置は、着信時に筐体が開かれると携帯電話装置の設定状態をユーザに報知し、ユーザが迅速に着信応答することを可能にする。
【図面の簡単な説明】
【図１】本発明を適用してなる実施例装置の斜視図である。
【図２】本発明を適用してなる実施例装置のブロック図である。
【図３】本実施例装置の動作を示すフロー図である。
【符号の説明】
１  通信部
３  ベースバンド部
８  スピーカ
１３  第２格納部
１６  入力部
１７  開閉検出部
【図１】
2004228634.tif 000003
【図２】
2004228634.tif 000004
【図３】
2004228634.tif 000005